(57)【要約】【課題】従来よりも適切な色再現を実現することが可能な色域拡大方法および表示装置を提供する。【解決手段】ユーザによる主観評価結果に基づいて、映像信号Ｄinにおける彩度強調量ｋＣ＊および明度コントラスト強調量ｋＬ＊それぞれ独立して変化させる。これにより、映像信号Ｄinに対して、映像表示の際の色域を拡大させる信号処理を行う。彩度強調量ｋＣ＊および明度コントラスト強調量ｋＬ＊が互いに同一の値で変化することにより色域拡大がなされる従来と比べ、ユーザによる主観評価結果に応じたより好ましい色再現が実現可能となる。【選択図】図２
2010130562.tif 000002
【特許請求の範囲】
【請求項１】
ユーザによる操作により得られる主観評価結果信号を取得すると共に、その主観評価結果信号に基づいて、入力映像信号における彩度強調量および明度コントラスト強調量をそれぞれ独立して変化させることにより、前記入力映像信号に対し、映像表示の際の色域を拡大させる信号処理を行う
色域拡大方法。
【請求項２】
前記入力映像信号の彩度と明度とにより規定される色空間において、前記映像表示の際に用いる表示部により表現可能な最高彩度点を明度軸上に投影した点を焦点として、前記色域が放射状に拡大するように、前記信号処理を行う
請求項１に記載の色域拡大方法。
【請求項３】
前記彩度強調量＝１．４倍、かつ、前記明度コントラスト強調量＝１．２倍となるように、前記信号処理を行う
請求項１に記載の色域拡大方法。
【請求項４】
一対比較評価を用いた主観評価結果信号に基づいて、前記信号処理を行う
請求項１ないし請求項３のいずれか１項に記載の色域拡大方法。
【請求項５】
前記入力映像信号が、ＩＥＣ（International Electro−technical Commission）により規定されるｓＲＧＢ規格の映像信号またはＹＣｂＣｒ規格の映像信号である
請求項１に記載の色域拡大方法。
【請求項６】
ユーザによる操作により得られる主観評価結果信号を取得する入力部と、
前記入力部により取得した主観評価結果信号に基づいて、入力映像信号における彩度強調量および明度コントラスト強調量をそれぞれ独立して変化させることにより、前記入力映像信号に対し、映像表示の際の色域を拡大させる信号処理を行う信号処理部と、
前記信号処理部による信号処理後の映像信号に基づいて映像表示を行う表示部と
を備えた表示装置。
【発明の詳細な説明】
【技術分野】
【０００１】
本発明は、適切な色表現を実現するための色域拡大方法、およびそのような色域拡大方法を用いた表示装置に関する。
【背景技術】
【０００２】
一般に、人間は原画像よりも少し鮮やかな画像を好むと言われている（例えば、非特許文献１，２）。また、技術の進歩に伴い、色再現範囲（色域）の広い広色域ディスプレイが商品化されてきている。したがって、従来色域（ＩＥＣ（International Electro−technical Commission）により規定されるｓＲＧＢ規格やＢＴ．７０９規格の色域）の映像信号における色域を拡大してマッピングすることにより、色彩豊かな映像表示を実現できるようになってきている。
【０００３】
従来、このような色域拡大方法（入力映像信号における色域を拡大し、出力側の色域へマッピングする方法）がいくつか報告されている（例えば、特許文献１、非特許文献２〜４）。これらは、主に、ディスプレイに表示された画像をプリンタへ出力する際に用いられる色域圧縮方法（入力映像信号における色域を圧縮して出力側の色域へマッピングする方法）を基にした方法である。一般に、プリンタの色域はディスプレイの色域に比べて狭いことから色域を圧縮する必要があり、それを逆に用いることにより色域を拡大することができるからである。  
【０００４】
【特許文献１】米国特許５３１７４２６号明細書
【非特許文献１】Fedorovskaya et al.、Color Research and Application、２２号、ｐ．９６−１１０、１９９７年
【非特許文献２】Kang et al.、ETRI Journal、２５号、ｐ．１５６−１７０、２００３年
【非特許文献３】Kim et al.、CGIV 2004、ｐ．２４８−２５３、２００４年
【非特許文献４】Muijs et al.、IDW ’06、２号、ｐ．１４２９−１４３２、２００６年
【発明の開示】
【発明が解決しようとする課題】
【０００５】
ここで、上記非特許文献４においてのみ、色域拡大方法における広色域ディスプレイへの応用が論じられている。ただし、好ましい色域拡大のために重要な要素と考えられる彩度強調量および明度コントラスト強調量については、定量的な評価がなく、最適値（もしくは推奨範囲）が導き出されていない。  
【０００６】
また、このような従来の色域拡大方法では、彩度強調量および明度コントラスト強調量が互いに同一の値で変化するようになっていたため、必ずしもユーザにとって適切な色域拡大とはなっていなかった。したがって、ユーザにとってのより好ましい色再現を実現するには、より適切な色域拡大方法の提案が望まれる。
【０００７】
本発明はかかる問題点に鑑みてなされたもので、その目的は、従来よりも適切な色再現を実現することが可能な色域拡大方法および表示装置を提供することにある。
【課題を解決するための手段】
【０００８】
本発明の色域拡大方法は、ユーザによる操作により得られる主観評価結果信号を取得すると共に、その主観評価結果信号に基づいて、入力映像信号における彩度強調量および明度コントラスト強調量をそれぞれ独立して変化させることにより、上記入力映像信号に対し、映像表示の際の色域を拡大させる信号処理を行うようにしたものである。
【０００９】
本発明の表示装置は、ユーザによる操作により得られる主観評価結果信号を取得する入力部と、この入力部により取得した主観評価結果信号に基づいて、入力映像信号における彩度強調量および明度コントラスト強調量をそれぞれ独立して変化させることにより、上記入力映像信号に対し、映像表示の際の色域を拡大させる信号処理を行う信号処理部と、この信号処理部による信号処理後の映像信号に基づいて映像表示を行う表示部とを備えたものである。
【００１０】
本発明の色域拡大方法および表示装置では、ユーザによる操作により得られる主観評価結果信号に基づいて、入力映像信号における彩度強調量および明度コントラスト強調量がそれぞれ独立して変化されることにより、上記入力映像信号に対し、映像表示の際の色域を拡大させる信号処理が行われる。これにより、彩度強調量および明度コントラスト強調量が互いに同一の値で変化することにより色域拡大がなされる従来と比べ、ユーザによる操作により得られる主観評価結果に応じたより好ましい色再現が実現可能となる。
【発明の効果】
【００１１】
本発明の色域拡大方法および表示装置によれば、ユーザによる操作により得られる主観評価結果信号に基づいて、入力映像信号における彩度強調量および明度コントラスト強調量をそれぞれ独立して変化させることにより、上記入力映像信号に対して映像表示の際の色域を拡大させる信号処理を行うようにしたので、従来よりも適切な色再現を実現することが可能となる。
【発明を実施するための最良の形態】
【００１２】
以下、本発明の実施の形態について、図面を参照して詳細に説明する。なお、説明は以下の順序で行う。
１．実施の形態（彩度および明度コントラストの強調量を独立して変化させるようにした色域拡大方法の例）
２．実施例（４種類のテスト画像を用いた実施例）
３．変形例
【００１３】
＜１．実施の形態＞
［表示装置の構成例］
図１は、本発明の一実施の形態に係る表示装置（表示装置１）の全体構成を表したものである。この表示装置１は、外部から入力される映像信号Ｄinに基づいて映像表示を行うものであり、信号処理部２と、ドライバ３と、表示部４とを備えている。なお、本発明の一実施の形態に係る色域拡大方法は、本実施の形態の表示装置において具現化されるため、以下併せて説明する。
【００１４】
信号処理部２は、映像信号Ｄinに対して映像表示の際の色域を拡大させる信号処理を行うものであり、色評価部２１と、色制御部２２とを有している。
【００１５】
色評価部２１は、ユーザ（図示せず）からの制御信号Ｓ１に従って、例えば後述する一対比較評価を用いた主観評価結果を出力するものである。具体的には、そのような主観評価結果として、最適な彩度強調量ｋＣ＊および明度コントラスト強調量ｋＬ＊をそれぞれ、色制御部２２へ出力するようになっている。なお、この色評価部２１の動作の詳細については、後述する。
【００１６】
色制御部２２は、色評価部２１から供給される主観評価結果（最適な彩度強調量ｋＣ＊および明度コントラスト強調量ｋＬ＊）に基づいて、映像信号Ｄinにおける彩度強調量ｋＣ＊および明度コントラスト強調量ｋＬ＊をそれぞれ独立して変化させる信号処理を行うものである。具体的には、例えば図２中の矢印Ｐ１，Ｐ２でそれぞれ示したようにして、映像信号Ｄinにおける画素ｐ，ｑ等を画素ｐ’，ｑ’等に変換することにより、映像表示の際の色域を拡大させる信号処理を行い、映像信号Ｄoutとして出力するようになっている。
【００１７】
なお、図２に示した色空間は、映像信号Ｄin，Ｄoutにおける彩度Ｃ＊と明度Ｌ＊とにより規定されており、横軸が彩度Ｃ＊軸、縦軸が明度Ｌ＊軸となっている。したがって、この色空間上の画素の座標は、（Ｃ＊，Ｌ＊）により表される。また、この色空間において、図中の符号Ｇ１は、映像表示の際に用いる表示部４により表現可能な色域境界線を表している。そして、この色域境界線Ｇ１上の最高彩度点を明度Ｌ＊軸上に投影した点を、焦点Ｆ０（０，ｆｙ）としている。
【００１８】
この色制御部２２では、より具体的には、以下の（１）式および（２）式を用いることにより、焦点Ｆ０を中心として色域が放射状に拡大するように信号処理を行う。ここで、画素ｐ，ｐ’の座標をそれぞれ、（ｐｘ，ｐｙ）および（ｐｘ’，ｐｙ’）としている。なお、色制御部２２の動作の詳細については、後述する。
【００１９】
【数１】
2010130562.tif 000003
【００２０】
ドライバ３は、信号処理部２による信号処理後の映像信号（映像信号Ｄout）に基づいて、表示部４に対する表示駆動を行うものである。
【００２１】
表示部４は、映像信号Ｄoutに基づいて、ドライバ３による表示駆動に従った映像表示を行うものである。この表示部４は、例えば、ＬＣＤ（Liquid Crystal Display）やＰＤＰ（Plasma Display Panel）、有機ＥＬ（Electro Luminescence）ディスプレイなどにより構成される。
【００２２】
［表示装置の全体動作］
この表示装置１では、信号処理部２において、外部から供給された映像信号Ｄinに対して映像表示の際の色域を拡大させる信号処理を行うことにより、映像信号Ｄoutが生成される。そして、この映像信号Ｄoutに基づいてドライバ３による表示駆動が行われることにより、表示部４において映像表示が行われる。
【００２３】
［信号処理部における動作］
この際、信号処理部２では、例えば以下説明するような信号処理が行われる。図３は、信号処理部２による信号処理動作の一例を流れ図で表したものである。
【００２４】
まず、色制御部２２において、映像信号Ｄinを、線形化された（Ｒ，Ｇ，Ｂ）信号に変換する（図３のステップＳ１０１）。変換方法は映像信号Ｄinの規格によって異なるが、例えば、映像信号Ｄinが、ＩＥＣ（ＩＥＣ ６１９６６−２−１）により規定されるｓＲＧＢ規格の映像信号である場合、以下の（３）式〜（１１）式を用いて変換を行う。なお、他の規格の映像信号の場合も、同様に規格に従って変換を行うことにより、線形化された（Ｒ，Ｇ，Ｂ）信号に変換する。
【００２５】
【数２】
2010130562.tif 000004
【００２６】
次に、色制御部２２では、線形化された（Ｒ，Ｇ，Ｂ）信号を、三刺激値Ｘ，Ｙ，Ｚからなる（Ｘ，Ｙ，Ｚ）信号に変換する（ステップＳ１０２）。具体的には、例えば、映像信号ＤinがｓＲＧＢ規格の映像信号である場合、以下の（１２）式を用いて変換を行う。なお、他の規格の映像信号の場合も、同様に規格に従って変換を行うことにより、（Ｘ，Ｙ，Ｚ）信号に変換する。
【００２７】
【数３】
2010130562.tif 000005
【００２８】
次に、色制御部２２では、（Ｘ，Ｙ，Ｚ）信号を、ＣＩＥ（国際照明委員会）により１９７６年に勧告されたＣＩＥ１９７６ Ｌ＊ａ＊ｂ＊色空間（ＣＩＥＬＡＢ色空間）における値からなる（Ｌ＊，ａ＊，ｂ＊），（Ｌ＊，Ｃ＊，ｈ）信号に変換する（ステップＳ１０３）。このＣＩＥＬＡＢ色空間は、均等色空間として勧告されており、人間の知覚的な色の見えに対して均等性を考慮した空間となっている。具体的には、色制御部２２では、以下の（１３）式〜（２０）式、ならびに（２１）式および（２２）式を用いることにより、（Ｘ，Ｙ，Ｚ）信号を、（Ｌ＊，ａ＊，ｂ＊）信号および（Ｌ＊，Ｃ＊，ｈ）信号に変換する。なお、式中のＸｎ，Ｙｎ，Ｚｎは、完全拡散反射面の三刺激値とされており、ここではＤ６５の三刺激値Ｗ（０．９５０５，１．００００，１．０８９０）を用いている（（１６）式参照）。また、通常はＹｎ＝１００とするが、ここでは変換の便宜上、Ｙｎ＝１．００としている。また、式中のＬ＊は明度を、Ｃ＊はクロマ（彩度）を、ｈは色相角を、それぞれ表している。
【００２９】
【数４】
2010130562.tif 000006
【００３０】
次に、色制御部２２では、色評価部２１における色評価結果に基づく色制御処理（好ましい色域拡大処理）を行う（ステップＳ１０４）。具体的には、色評価部２１から供給される主観評価結果（最適な彩度強調量ｋＣ＊および明度コントラスト強調量ｋＬ＊）に基づいて、以下の（２３）式および（２４）式を用いることにより、彩度強調量ｋＣ＊および明度コントラスト強調量ｋＬ＊をそれぞれ独立して変化させる。なお、（２３）式および（２４）式はそれぞれ、前述の（１）式および（２）式に対応するものである。また、色制御部２２は、より具体的には、例えば図２に示したように、焦点Ｆ０を中心として色域が放射状に拡大するように信号処理を行う。なお、この焦点Ｆ０の座標情報は、色相角ｈを用いて、対応する色相角における表示部４の色域境界情報（色域境界線Ｇ１の情報）を参照することにより取得するようになっている。
【００３１】
【数５】
2010130562.tif 000007
【００３２】
その際、色評価部２１では、ユーザ（図示せず）からの制御信号Ｓ１に従って、主観評価結果としての最適な彩度強調量ｋＣ＊および明度コントラスト強調量ｋＬ＊をそれぞれ、色制御部２２へ出力する。このようなユーザによる主観評価は、例えば図４に示したように、表示部４において一対の画像５Ｌ，５Ｒを対比して表示することにより行う（一対比較評価を用いた主観評価）。すなわち、ユーザに画像の簡単な主観評価を行ってもらい、その結果に基づいて、最適な彩度強調量ｋＣ＊および明度コントラスト強調量ｋＬ＊を調整および設定する。これにより、表示部４における色再現を、ユーザの好ましさに合わせて調整することができる。
【００３３】
このような一対比較評価処理としては、具体的には以下の２つの手法が考えられる。
［１］表示部４において、信号処理部２による色強調後の複数の画像のうちの２つの画像を対で表示し、ユーザが好ましい画像を選択する。すべての組み合わせ（対）において評価し、最高勝率の（選ばれた回数が最も多い）画像が、好ましい画像として決定される。
［２］表示部４において、原画像と、信号処理部２による色強調後の画像との２つの画像を対で表示する。そして、ユーザが例えばリモートコントロール機を用いて、例えば左右キーで彩度の調整を、上下キーで明度コントラストの調整を行うことにより、好ましい画像を決定する。
【００３４】
ここで、図５および図６は、色評価部２１における一対比較評価処理の一例を流れ図で表したものであり、それぞれ、上記［１］，［２］の手法に対応するものである。なお、図５に示した処理では、一例として、彩度強調量ｋＣ＊および明度コントラスト強調量ｋＬ＊をそれぞれ、１．０，１．２，１．４倍（ｋＣ＊＝ｋＬ＊＝１．０の場合、原画像に対応する）に設定することにより、合計９画像を用意するものとする。したがって、これら９画像のうちから２つの画像を対にして表示する組み合わせは、９Ｃ２＝３６通りとなる。一方、図６に示した処理では、一例として、彩度強調量ｋＣ＊および明度コントラスト強調量ｋＬ＊をそれぞれ、１．０，１．１，１．２，１．３，１．４倍（ｋＣ＊＝ｋＬ＊＝１．０倍の場合、原画像に対応する）に設定することにより、合計２５画像を用意するものとする。
【００３５】
（一対比較評価処理の例１）
まず、図５に示した一対比較評価処理（上記［１］の手法に対応）では、最初に、ユーザによって、一対の画像５Ｌ，５Ｒのうちのどちらが好ましいかを一対比較評価する（図５のステップＳ２０１）。そして、制御信号Ｓ１に基づき、色評価部２１では、繰り返し回数＝３６であるか否か（全ての組み合わせで一対比較評価を行ったか否か）を判断する（ステップＳ２０２）。繰り返し回数＝３６に達していない場合（ステップＳ２０２：Ｎ）には、再びステップＳ２０１へと戻る。一方、繰り返し回数＝３６に達した場合（ステップＳ２０２：Ｙ）、次に色評価部２１は、勝率計算を行う（ステップＳ２０３）。
【００３６】
ここで、勝率計算（各変換画像の好ましさ評価の勝率）は、例えばｚスコア（標準得点）により規定することができ、以下の（２５）式および（２６）式により求めることができる。
【００３７】
【数６】
2010130562.tif 000008
【００３８】
次に、色評価部２１は、最高勝率画像数≦３であるか否かを判断する（ステップＳ２０４）。最高勝率画像数＞４の場合（ステップＳ２０４：Ｎ）、繰り返し回数＝０とし（ステップＳ２０５）、再びステップＳ２０１へと戻る。これは、経験的に、最高勝率画像数が４つ以上になることはほとんどないためである。一方、最高勝率画像数≦３である場合（ステップＳ２０４：Ｙ）、次に最高勝率画像数＝１であるか否かを判断する（ステップＳ２０５）。
【００３９】
ここで、最高勝率画像数＝１である場合（ステップＳ２０５：Ｙ）、次にステップＳ２０９へと進む。一方、最高勝率画像数≠１である場合（ステップＳ２０５：Ｎ）、次に最高勝率画像数＝２であるか否かを判断する（ステップＳ２０６）。ここで、最高勝率画像数＝２である場合（ステップＳ２０６：Ｙ）、その最高勝率の２画像を表示部４において表示することにより、より好ましいほうの１画像をユーザに選択させ（ステップＳ２０７）、ステップＳ２０９へと進む。一方、最高勝率画像数≠２である場合（ステップＳ２０６：Ｎ）、最高勝率の３画像を表示部４において表示することにより、最も好ましい１画像をユーザに選択させ（ステップＳ２０８）、ステップＳ２０９へと進む。
【００４０】
そして、ステップＳ２０９では、選択された画像（最高勝率画像）における彩度強調量ｋＣ＊および明度コントラスト強調量ｋＬ＊をそれぞれ、色制御部２２へ出力する。以上により、図５に示した一対比較評価処理が終了となる。
【００４１】
（一対比較評価処理の例２）
一方、図６に示した一対比較評価処理（上記［２］の手法に対応）では、最初に、ユーザによって、一対の画像５Ｌ，５Ｒ（原画像および変換画像）のうちのどちらが好ましいかを一対比較評価する（図６のステップＳ３０１）。そして、次にユーザによって、彩度調整が不要であるか否かを判断する（ステップＳ３０２）。彩度調整が必要であると判断された場合（ステップＳ３０２：Ｎ）、ユーザは例えばリモートコントロール機を用いて彩度調整を行い（ステップＳ３０３）、再びステップＳ３０１へと戻る。具体的には、例えば、←→キー（←：彩度を０．１下げる、→：彩度を０．１上げる）を用いて、変換画像における彩度を変化させる。一方、彩度調整が不要であると判断された場合（ステップＳ３０２：Ｙ）、次にユーザによって、明度コントラスト調整が不要であるか否かを判断する（ステップＳ３０４）。
【００４２】
ここで、明度コントラスト調整が必要であると判断された場合（ステップＳ３０４：Ｎ）、ユーザは例えばリモートコントロール機を用いて明度コントラスト調整を行い（ステップＳ３０５）、再びステップＳ３０１へと戻る。具体的には、例えば、↓↑キー（↓：明度コントラストを０．１下げる、↑：明度コントラストを０．１上げる）を用いて、変換画像における明度コントラストを変化させる。一方、明度コントラスト調整が不要であると判断された場合（ステップＳ３０４：Ｙ）、次にステップＳ３０６へと進む。このステップＳ３０６では、原画像および最終的な変換画像を表示部４に表示し、最終的な変換画像の彩度強調量ｋＣ＊および明度コントラスト強調量ｋＬ＊をそれぞれ、色制御部２２へ出力する（ステップＳ３０６）。以上により、図６に示した一対比較評価処理が終了となる。
【００４３】
次に、図３の処理に戻り、ステップＳ１０４の後、色制御部２２では、ステップＳ１０４において求められた（Ｌ＊，Ｃ＊，ｈ）信号を、（Ｌ＊，ａ＊，ｂ＊）信号へと戻す変換を行う。また、その後、この（Ｌ＊，ａ＊，ｂ＊）信号を、三刺激値Ｘ，Ｙ，Ｚからなる（Ｘ，Ｙ，Ｚ）信号へと戻す変換を行う（図３のステップＳ１０５）。これらは、ステップＳ１０３における変換の逆変換に対応し、例えば以下の（２７）式〜（２９）式および（３０）式〜（３９）式を用いて行う。
【００４４】
【数７】
2010130562.tif 000009
【００４５】
次に、色制御部２２では、（Ｘ，Ｙ，Ｚ）信号を、例えば以下の（４０）式〜（４４）式を用いることにより、線形化された（Ｒ，Ｇ，Ｂ）信号に変換する（ステップＳ１０６）。
【００４６】
【数８】
2010130562.tif 000010
【００４７】
次に、色制御部２２では、線形化された（Ｒ，Ｇ，Ｂ）信号を、例えば以下の（４５）式〜（４７）式および（４８）式〜（５０）式を用いることにより、表示部４の入力形式に従って変換し、出力の映像信号Ｄoutとする（ステップＳ１０７）。具体的には、表示部４の入力形式が例えばＲＧＢ（８ビット，０〜２５５階調）の場合、表示部４の階調特性を示すガンマ（γ）を用いて、８ビットに量子化する。なお、他の入力形式においても、その形式に従って変換し、出力の映像信号Ｄoutとする。以上により、図３に示した信号処理部２による信号処理動作が終了となる。
【００４８】
【数９】
2010130562.tif 000011
【００４９】
（本実施の形態の作用および効果）
ここで、従来の色域拡大方法は、主に、ディスプレイに表示された画像をプリンタへ出力する際に用いられる色域圧縮方法（図７（Ａ）参照）を基にした方法である。すなわち、例えば図７（Ｂ）に示したように、そのような色域圧縮方法を逆に用いて色域を拡大するようになっている。
【００５０】
したがって、比較例に係る従来の色域拡大処理では、例えば図８中の矢印Ｐ１０１，Ｐ１０２でそれぞれ示したように、彩度強調量ｋＣ＊および明度コントラスト強調量ｋＬ＊が、互いに同一の値で変化するようになっていた。そのため、必ずしもユーザにとって適切な色域拡大とはなっていなかった。
【００５１】
これに対して、本実施の形態では、図２中の矢印Ｐ１，Ｐ２でそれぞれ示したように、ユーザによる主観評価結果に基づいて、映像信号Ｄinにおける彩度強調量ｋＣ＊および明度コントラスト強調量ｋＬ＊が、それぞれ独立して変化する。これにより、上記映像信号Ｄinに対し、映像表示の際の色域を拡大させる信号処理が行われる。なお、入出力間において、色相の変化は生じない。
【００５２】
したがって、彩度強調量ｋＣ＊および明度コントラスト強調量ｋＬ＊が互いに同一の値で変化することにより色域拡大がなされる従来と比べ、ユーザによる主観評価結果に応じたより好ましい色再現が実現可能となる。
【００５３】
なお、本実施の形態の色域拡大方法では、例えば図９に示したように、彩度強調量ｋＣ＊＝１．４倍、かつ、明度コントラスト強調量ｋＬ＊＝１．２倍となるように、信号処理を行うのが望ましい。また、そのような最適値を含む推奨範囲としては、後述する実施例の結果に基づき、以下のように設定するのが望ましいと言える。
最適値：ｋＣ＊＝１．４倍（推奨範囲：１．３〜１．４倍）
最適値：ｋＬ＊＝１．２倍（推奨範囲：１．２〜１．４倍）
【００５４】
以上のように本実施の形態では、ユーザによる主観評価結果に基づいて、映像信号Ｄinにおける彩度強調量ｋＣ＊および明度コントラスト強調量ｋＬ＊をそれぞれ独立して変化させることにより、映像信号Ｄinに対して映像表示の際の色域を拡大させる信号処理を行うようにしたので、従来よりも適切な色再現を実現することが可能となる。
【００５５】
具体的には、映像信号Ｄin，Ｄoutの彩度Ｃ＊と明度Ｌ＊とにより規定される色空間において、表示部４により表現可能な最高彩度点を明度Ｌ＊軸上に投影した点を焦点Ｆ０として、色域が放射状に拡大するように信号処理を行うようにしたので、上記のような効果を得ることができる。
【００５６】
また、一対比較評価を用いた主観評価結果に基づいて信号処理を行うようにしたので、簡単な好ましさ評価で色調整ができ、表示部４における画質調整の煩わしさを低減することが可能となる。
【００５７】
さらに、広色域ディスプレイの色域を十分に活用し、従来色域信号を色彩豊かに表示することができるため、ディスプレイの付加価値を向上させることが可能となる。
【００５８】
加えて、彩度強調量ｋＣ＊および明度コントラスト強調量ｋＬ＊の最適値を予め設定しておくことにより、ユーザが色調整を行うことによる煩わしさをなくすことも可能である。
【００５９】
＜２．実施例＞
次に、本発明の具体的な実施例について説明する。
【００６０】
ここでは、以下の条件で実験を行った。また、各々のテスト画像において、各変換画像の好ましさ評価の勝率は、前述のｚスコア（標準得点）により標準化し、各変換画像の評価値とした。
・強調量（ｋＣ＊，ｋＬ＊）：各々１．０〜１．４倍の合計１９種類
（使用した組み合わせは以下の通り；図１２における黒点に対応）
（ｋＣ＊，ｋＬ＊）＝(1.0, 1.0)，(1.15, 1.0)，(1.3, 1.0)，(1.4, 1.0)，
(1.0, 1.15)，(1.1, 1.1)，(1.3, 1.1)，
(1.2, 1.2)，(1.3, 1.2)，(1.4, 1.2)，
(1.0, 1.3)，(1.1, 1.3)，(1.2, 1.3)，(1.3, 1.3)，(1.4, 1.3)，
(1.0, 1.4)，(1.2, 1.4)，(1.3, 1.4)，(1.4, 1.4)
（ｋＣ＊＝ｋＬ＊＝１．０倍の場合、原画像に対応する）
・テスト画像：図１０（Ａ）〜（Ｄ）に示す４画像（ｓＲＧＢ色域のもの）
・評価方法：被験者が、表示された一対の画像（２枚）のうち、どちらが好ましいか選択する一対比較法（図４参照）
・被験者：色覚正常な１１名
【００６１】
なお、図１０（Ａ）は、赤色系の服を着ている人間の画像を表している。また、図１０（Ｂ）は、青空の下での緑の木の葉の画像を表している。また、図１０（Ｃ）は、夕焼け空の下での海岸の画像を表している。また、図１０（Ｄ）は、畳の上の茶色系の皿上に赤色系の菓子が置かれている画像を表している。
【００６２】
図１１（Ａ）〜（Ｄ）は、図１０（Ａ）〜（Ｄ）に示した画像にそれぞれ対応する評価結果を、ｚスコアを等高線上の数値とする等高線図として表したものである。なお、図１１において、横軸はｋＣ＊を、縦軸はｋＬ＊を表し、黒丸が実験に用いた強調量となっている。また、図中の符号Ｐ３Ａ〜Ｐ３Ｄで示した黒丸の位置が、最もｚスコアが高い点となっている。
【００６３】
また、図１２は、図１０（Ａ）〜（Ｄ）に示した４画像による評価結果の平均値を、ｚスコアを等高線上の数値とする等高線図として表したものである。なお、図中の符号Ｐ４で示した黒丸の位置が、最もｚスコアが高い点となっている。
【００６４】
これらの結果により、前述したように、彩度強調量ｋＣ＊＝１．４倍、かつ、明度コントラスト強調量ｋＬ＊＝１．２倍となるように、信号処理を行うのが望ましいと言える。また、そのような最適値を含む推奨範囲としても、前述したように、以下のように設定するのが望ましいと言える。
最適値：ｋＣ＊＝１．４倍（推奨範囲：１．３〜１．４倍）
最適値：ｋＬ＊＝１．２倍（推奨範囲：１．２〜１．４倍）
【００６５】
＜３．変形例＞
以上、実施の形態および実施例を挙げて本発明を説明したが、本発明はこれらの実施の形態等に限定されるものではなく、種々の変形が可能である。
【００６６】
例えば、彩度強調量ｋＣ＊および明度コントラスト強調量ｋＬ＊の値については、上記実施の形態等で説明したものには限られず、他の値を用いるようにしてもよい。
【００６７】
また、信号処理部２において用いられる映像信号の種類・規格についても、上記実施の形態等で説明したものには限られず、他の種類・規格の映像信号を用いるようにしてもよい。例えば、ｓＲＧＢ規格の映像信号には限られず、例えばＹＣｂＣｒ規格の映像信号等を用いるようにしてもよい。
【図面の簡単な説明】
【００６８】
【図１】本発明の一実施の形態に係る表示装置の全体構成を表すブロック図である。
【図２】図１に示した信号処理部による色域拡大処理について説明するための特性図である。
【図３】図１に示した信号処理部による信号処理動作の一例を表す流れ図である。
【図４】ユーザによる一対比較評価について説明するための模式図である。
【図５】図１に示した色評価部における一対比較評価処理の一例を表す流れ図である。
【図６】図１に示した色評価部における一対比較評価処理の他の例を表す流れ図である。
【図７】従来の色域圧縮方法および色域拡大方法の一例について説明するための特性図である。
【図８】比較例に係る従来の色域拡大処理について説明するための特性図である。
【図９】実施の形態に係る色域拡大処理の一例について説明するための特性図である。
【図１０】実施例に用いたテスト画像について説明するための模式図である。
【図１１】図１０に示した各テスト画像による評価結果の一例を表す特性図である。
【図１２】図１１に示した各テスト画像による評価結果の平均値を表す特性図である。
【符号の説明】
【００６９】
１…表示装置、２…信号処理部、２１…色評価部、２２…色制御部、３…ドライバ、４…表示部、５Ｌ，５Ｒ…画像、Ｄin，Ｄout…映像信号、Ｓ１…制御信号、Ｃ＊…彩度、Ｌ＊…明度、ｋＣ＊…彩度強調量、ｋＬ＊…明度コントラスト強調量、Ｆ０…焦点、Ｇ１…表示部の色域境界線、ｐ，ｐ’，ｑ，ｑ’…画素。
【図１】
2010130562.tif 000012
【図２】
2010130562.tif 000013
【図３】
2010130562.tif 000014
【図４】
2010130562.tif 000015
【図５】
2010130562.tif 000016
【図６】
2010130562.tif 000017
【図７】
2010130562.tif 000018
【図８】
2010130562.tif 000019
【図９】
2010130562.tif 000020
【図１０】
2010130562.tif 000021
【図１１】
2010130562.tif 000022
【図１２】
2010130562.tif 000023